(57)【要約】【課題】しっかりとした取付け状態を形成することができ、しかも、取付けを無ネジで容易に行っていくことができる階間水切り板の取付け構造を提供する。【解決手段】階間水切り板４の上端部は、階上外壁パネル３の防水断熱板７の背後に配置され、階間水切り板４の下端部４ａは、該下端部を、階下外壁パネル２の通気層６に差し込まれる差込み部とし、該下端部４ａには、差込み状態で階下外壁パネル２の防水断熱板７の上端部に支承される支承部９が付属して設けられ、該下端部４ａが階下外壁パネル２の通気層６に差し込まれると共に、支承部９が階下外壁パネル２の防水断熱板７の上端部に支承された状態にされることにより、無ネジで、階下外壁パネル２に保持されるようになされている。【選択図】      図１
2009052266.tif 000002
【特許請求の範囲】
【請求項１】
階上、階下の各外壁パネルが、外装面材の背後に通気層を介して防水断熱板が設けられたものからなり、階間に、受けた水を階下外壁パネルの通気層に送り込む階間水切り板が備えられ、
該階間水切り板の上端部は、階上外壁パネルの防水断熱板の背後に配置され、
該階間水切り板の下端部は、該下端部を、階下外壁パネルの通気層に差し込まれる差込み部とし、該下端部には、差込み状態で階下外壁パネルの防水断熱板の上端部に支承される支承部が付属して設けられ、該下端部が階下外壁パネルの通気層に差し込まれると共に、支承部が階下外壁パネルの防水断熱板の上端部に支承された状態にされることにより、無ネジで、階下外壁パネルに保持されるようになされていることを特徴とする、パネル式外壁構造における階間水切り板の取付け構造。
【請求項２】
前記階間水切り板の下端部の正面側に前後方向の弾力性を有する弾性体が付属して設けられると共に、階間水切り板の下端部と階下外壁パネルの防水断熱板との間に止水材が介設され、前記階間水切り板の下端部が階下外壁パネルの通気層に差し込まれることで弾性体が前後方向に圧縮され、その復元力によって前記止水材が階間水切り板の下端部と階下外壁パネルの防水断熱板との間で圧縮され、水密状態を形成している請求項１に記載の階間水切り板の取付け構造。
【請求項３】
左右方向において隣り合う前記階間水切り板が、端部同士を重ね合わせるように配置され、該端部間に止水材が介設され、一方の階間水切り板に、該止水材を左右の階間水切り板の端部間で圧縮して水密状態を形成する圧縮金物が付属して設けられ、
該圧縮金物は、一方の階間水切り板の板面に沿って該一方の階間水切り板に固着されたベース板部と、該ベース板部からもう一方の階間水切り板の端縁部に沿う態様で立ち上げられた１つ又は複数の立ち上がり板部とを備え、該立ち上がり板部の前記もう一方の階間水切り板の端縁部に沿う方向における一部が、その立ち上がり状態を維持しながら前記もう一方の階間水切り板の端部側に張り出すように屈曲され、該屈曲部によるおさえ作用によって、前記止水材が左右の階間水切り板の端部間で圧縮されて、無ネジで、水密状態を形成している請求項１又は２に記載の階間水切り板の取付け構造。
【発明の詳細な説明】
【技術分野】
【０００１】
本発明は、パネル式外壁構造における階間水切り板の取付け構造に関する。
【背景技術】
【０００２】
階間水切り板の取付け構造として、その上端部を階上外壁パネルの外装面材の背面側に差し込み、下端部をネジで固定して取り付けるようにしたものは、従来より提供されている。
【特許文献１】特開２００３−２５３７７１号公報
【発明の開示】
【発明が解決しようとする課題】
【０００３】
しかしながら、ネジを用いた取付け構造では、取付けに手間を要するという問題があり、本発明は、そのような問題点に鑑み、しっかりとした取付け状態を形成することができ、しかも、取付けを無ネジで容易に行っていくことができる、パネル式外壁構造における階間水切り板の取付け構造を提供することを課題とする。
【課題を解決するための手段】
【０００４】
上記の課題は、階上、階下の各外壁パネルが、外装面材の背後に通気層を介して防水断熱板が設けられたものからなり、階間に、受けた水を階下外壁パネルの通気層に送り込む階間水切り板が備えられ、
該階間水切り板の上端部は、階上外壁パネルの防水断熱板の背後に配置され、
該階間水切り板の下端部は、該下端部を、階下外壁パネルの通気層に差し込まれる差込み部とし、該下端部には、差込み状態で階下外壁パネルの防水断熱板の上端部に支承される支承部が付属して設けられ、該下端部が階下外壁パネルの通気層に差し込まれると共に、支承部が階下外壁パネルの防水断熱板の上端部に支承された状態にされることにより、無ネジで、階下外壁パネルに保持されるようになされていることを特徴とする、パネル式外壁構造における階間水切り板の取付け構造によって解決される（第１発明）。
【０００５】
この構造では、階間水切り板の下端部の取付けは、該下端部を階下外壁パネルの外装面材と防水断熱板との間に設けられた通気層に差し込み、支承部を階下外壁パネルの防水断熱板の上端部に支承させた状態にするだけでよく、それによって、階間水切り板の下端部は、下方への落下を階下外壁パネルの防水断熱板の上面部による支承部の支承によって阻止され、屋外方向への外れを階下外壁パネルの外装面材で阻止され、屋内方向への外れを階下外壁パネルの防水断熱板で阻止されて、無ネジでしっかりとした取付け状態を形成することができる。
【０００６】
しかも、このように、階間水切り板の下端部を階下外壁パネルの外装面材と防水断熱板との間に設けられた通気層に差し込み、支承部を階下外壁パネルの防水断熱板の上端部に支承させた状態にするだけでよいので、取付けを無ネジで容易に行っていくことができる。
【０００７】
なお、階間水切り板の上端部は、階上外壁パネルの建方を終えた後であって下端部の取付けを行う前に、階上外壁パネルの防水断熱板の背後に差し込んで配置したものであってもよいし、階上外壁パネルの建方を行う前であって下端部の取付けを行った後に、胴差部に防水テープなどの粘着テープで止め付け、その後、階上外壁パネルの建方を行って階上外壁パネルの防水断熱板の背後に配置したものであってもよい。
【０００８】
上記の取付け構造において、前記階間水切り板の下端部の正面側に前後方向の弾力性を有する弾性体が付属して設けられると共に、階間水切り板の下端部と階下外壁パネルの防水断熱板との間に止水材が介設され、前記階間水切り板の下端部が階下外壁パネルの通気層に差し込まれることで弾性体が前後方向に圧縮され、その復元力によって前記止水材が階間水切り板の下端部と階下外壁パネルの防水断熱板との間で圧縮され、水密状態を形成しているとよい（第２発明）。
【０００９】
この場合は、階間水切り板の下端部と階下外壁パネルの防水断熱板との間を通じた水の侵入を阻止することができ、しかも、そのような止水状態の形成を、階間水切り板の下端部を階下外壁パネルの外装面材と防水断熱板との間に設けられた通気層に差し込み、支承部を階下外壁パネルの防水断熱板の上端部に支承させた状態にするだけで実現することができる。
【００１０】
第１，第２発明において、左右方向において隣り合う前記階間水切り板が、端部同士を重ね合わせるように配置され、該端部間に止水材が介設され、一方の階間水切り板に、該止水材を左右の階間水切り板の端部間で圧縮して水密状態を形成する圧縮金物が付属して設けられ、
該圧縮金物は、一方の階間水切り板の板面に沿って該一方の階間水切り板に固着されたベース板部と、該ベース板部からもう一方の階間水切り板の端縁部に沿う態様で立ち上げられた１つ又は複数の立ち上がり板部とを備え、該立ち上がり板部の前記もう一方の階間水切り板の端縁部に沿う方向における一部が、その立ち上がり状態を維持しながら前記もう一方の階間水切り板の端部側に張り出すように屈曲され、該屈曲部によるおさえ作用によって、前記止水材が左右の階間水切り板の端部間で圧縮されて、無ネジで、水密状態を形成しているとよい（第３発明）。
【００１１】
この場合は、左右方向において隣り合う階間水切り板の重ねられた端部間を、圧縮状態の止水材によってしっかりとした止水状態にすることができる。
【００１２】
しかも、圧縮金物の立ち上がり板部のもう一方の階間水切り板の端縁部に沿う方向における一部を、該もう一方の階間水切り板の端部側に張り出すように屈曲するだけで、そのような止水状態を形成することができるので、左右方向において隣り合う階間水切り板間の止水の施工を無ネジで容易に行っていくことができる。
【００１３】
加えて、立ち上がり板部のもう一方の階間水切り板の端縁部に沿う方向における一部の屈曲は、その立ち上がり状態を維持するようにして行われたものであるから、該屈曲された部分が、圧縮された止水材の復元力で撓んでしまうことはなく、しっかりとした止水状態を形成することができる。
【発明の効果】
【００１４】
本発明は、以上のとおりのものであるから、しっかりとした取付け状態を形成することができ、しかも、取付けを無ネジで容易に行っていくことができる。
【発明を実施するための最良の形態】
【００１５】
次に、本発明の実施最良形態を図面に基づいて説明する。
【００１６】
図１〜図４に示す実施形態の階間水切り板の取付け構造において、１は鋼製胴差、２は階下外壁パネル、３は階上外壁パネル、４は階間水切り板である。
【００１７】
階下、階上の外壁パネル２，３は、外装面材５の背後に通気層６を介してグラスウールボード等の防水断熱板７が設けられたものからなっており、通気層６は、珪酸カルシウム板などからなる縦胴縁８を外装面材５と防水断熱板７との間に左右方向に間隔的に配置することにより形成されている。
【００１８】
階間水切り板４は、受けた水を階下外壁パネル２の通気層６に送り込むもので、その上端部は、図２（イ）（ロ）に示すように、階上外壁パネル３の防水断熱板７の下端部を逃がすように屋内側に屈曲され、階上外壁パネル３の防水断熱板７の背後に配置されるようにされている。
【００１９】
そして、階間水切り板４の下端部４ａは、図１（イ）（ロ）及び図３（ハ）に示すように、該下端部４ａを、階下外壁パネル２の通気層６内に差し込まれる差込み部とし、該下端部４ａには、差込み状態で階下外壁パネル２の防水断熱板７の上端部に支承されるピース物の支承部９が付属して設けられ、該差込み下端部４ａが階下外壁パネル２の通気層６内に差し込まれると共に、支承部９が階下外壁パネルの防水断熱板７の上端部に支承された状態にされることにより、無ネジで、階下外壁パネル２に保持されるようになされている。
【００２０】
また、該階間水切り板４の差込み下端部４ａの正面側には、図３（ロ）等に示すように、板バネなどで構成された前後方向の弾力性を有するピース物の弾性体１０が付属して設けられると共に、階間水切り板４の下端部４ａを挟んで弾性体１０とは反対側の面部には、図３（ハ）に示すように、独立気泡のスポンジ状などからなる第１止水材１１が付属して設けられ、階間水切り板４の下端部を階下外壁パネル２の通気層６内に差し込むことにより弾性体１０が外装面材５と防水断熱板７とに挟まれて前後方向に圧縮され、その復元力によって第１止水材１１が階間水切り板４の下端部４ａと階下外壁パネル２の防水断熱板７との間で圧縮されて階間水切り板４の下端部４ａと防水断熱板７との間を水密状態に止水するようにされている。
【００２１】
更に、図４（イ）（ロ）に示すように、左右方向において隣り合って取り付けられる階間水切り板４，４は、端部同士を重ね合わせるように配置され、一方の階間水切り板４には圧縮金物１２が付属して設けられると共に、もう一方の階間水切り板４の端部背面部には第２止水材１３が第１止水材１１と連続するように付属して設けられ、該第２止水材１３を圧縮金物１２により左右の階間水切り板４，４の端部間で圧縮して水密状態を形成することができるようになされている。
【００２２】
この圧縮金物１２は、図４（イ）に示すように、一方の階間水切り板４の板面に沿って該一方の階間水切り板４に固着されたベース板部１４と、該ベース板部１４からもう一方の階間水切り板の端縁部に沿う態様で立ち上げられた上下方向に複数の立ち上がり板部１５…とを備え、図４（ロ）に示すように、該立ち上がり板部１５…の前記もう一方の階間水切り板４の端縁部に沿う方向における一部としての一方の側１５ａ…を、切込み１６…を利用してその立ち上がり状態を維持するように前記もう一方の階間水切り板４の端部側に張り出すように屈曲すると、該屈曲部１５ａ…によるおさえ作用によって、第２止水材１３が左右の階間水切り板４，４の端部間で圧縮されて、無ネジで、水密状態を形成することができるようになされている。
【００２３】
なお、１７はグラスウールなどからなる階間断熱材で、階間水切り板４の背面部に付属して備えられている。
【００２４】
階間水切り板４の施工は、図１（イ）に示すように、階下外壁パネル２の建方を行った後、図１（ロ）に示すように、階間水切り板４の下端部４ａを階下外壁パネル２の通気層６に差し込み、支承部９を階下外壁パネル２の防水断熱板７の上端部に支承させた状態にして、階下外壁パネル２に保持させる。
【００２５】
また、図４（イ）（ロ）に示すように、他の階間水切り板４を、上記の階間水切り板４と左右方向において隣り合わせ、端部同士をそれらの間に第２止水材１３を介在させて重ね合わせるように配置して、階下外壁パネル２に保持させていくと共に、圧縮金物１２の立ち上がり板部１５…の一方の側１５ａ…をその立ち上がり状態を維持しながら屈曲させて、左右方向における階間水切り板４，４間を止水状態にしていく。
【００２６】
そして、階間水切り板４の上端側の前後方向におけるフラツキをなくすため、図１（ロ）に示すように、該階間水切り板４の上端部を胴差１に防水テープ等の粘着テープ１８で止め付けて固定した後、図２（イ）（ロ）に示すように、階上外壁パネル３の建方を行えば、階間水切り板４の上端部は、階上外壁パネル３の防水断熱板７の背後に配置された状態となる。
【００２７】
このように、上記の構造によれば、階間水切り板４の下端部４ａの取付けは、該下端部４ａを階下外壁パネル２の外装面材５と防水断熱板７との間に設けられた通気層６内に差し込み、支承部９を階下外壁パネル２の防水断熱板７の上端部に支承させた状態にするだけでよく、それにより、階間水切り板４の下端部４ａは、下方への落下を階下外壁パネル２の防水断熱板７の上面部による支承部９の支承によって阻止され、屋外方向への外れを階下外壁パネル２の外装面材５で阻止され、屋内方向への外れを階下外壁パネル２の防水断熱板７で阻止されて、無ネジでしっかりとした取付け状態を形成することができる。
【００２８】
しかも、このように、階間水切り板４の下端部を階下外壁パネル２の外装面材５と防水断熱板７との間に設けられた通気層６に差し込み、支承部９を階下外壁パネル２の防水断熱板７の上端部に支承させた状態にするだけでよいので、階間水切り板４の下端部の取付けを無ネジで施工容易に行っていくことができる。
【００２９】
加えて、上記の取付け構造では、階間水切り板４の下端部の正面側に弾性体１０が付属して設けられると共に、階間水切り板４の下端部４ａと階下外壁パネル２の防水断熱板７との間に第１止水材１１が介設され、階間水切り板４の下端部４ａを階下外壁パネル２の通気層６内に差し込むことで弾性体１０が前後方向に圧縮し、その復元力によって第１止水材１１が階間水切り板４の下端部と階下外壁パネル２の防水断熱板７との間で圧縮されて水密状態が形成されるようになされているので、階間水切り板４の下端部４ａと階下外壁パネル２の防水断熱板７との間を通じた水の侵入をしっかりと阻止することができ、しかも、その施工を容易に行っていくことができる。
【００３０】
また、左右方向において隣り合う階間水切り板４，４については、第２止水材１３と圧縮金物１２によって、それらの重ねられた端部間をしっかりとした止水状態にすることができ、しかも、そのための施工も、圧縮金物１２の立ち上がり板部１５の一方の側１５ａを屈曲するだけでよいので、無ネジで容易に行っていくことができ、加えて、立ち上がり板部１５の一方の側１５ａの屈曲は、その立ち上がり状態を維持するように行われたものであるから、該屈曲された部分１５ａ…が、圧縮された第２止水材の復元力で撓んでしまうこともなく、しっかりとした止水状態を形成することができる。
【００３１】
以上に、本発明の実施形態を示したが、本発明はこれに限られるものではなく、発明思想を逸脱しない範囲で各種の変更が可能である。例えば、上記の実施形態では、図２（ロ）に示すように、階上外壁パネル３の外装面材５の下端側を下方に延ばし、該延ばした部分で階間を屋外側から隠す構成とし、階間水切り板４の下端部４ａの取付けを行った後に、階上外壁パネル３の建方を行うことによって、階間水切り板４の上端部を階上外壁パネル３の防水断熱板７の背後に配置した場合を示したが、
階間を、階上、階下の外壁パネルの外装面材で隠さず、別途用意した胴差化粧材で隠す構成を採用する場合には、上記のようにしてもよいし、あるいは、階上外壁パネル３の建方を終えた後であって、階間水切り板４の下端部の取付けを行う前に、防水断熱板７の上端部を階上外壁パネル３の防水断熱板７の背後に差し込んで配置するようにしてもよい。
【００３２】
また、上記の実施形態では、階上、階下の外壁パネル２，３の通気層６，６が、縦胴縁８を外装面材５とグラスウールボードからなる防水断熱板７との間に配置して形成されたものからなっている場合を示したが、その他、例えば、発泡樹脂板からなる防水断熱板の屋外側の面部に縦胴縁部を一体成形し、該縦胴縁部によって、外装面材５と防水断熱板との間に形成された通気層などであってもよい。
【００３３】
なお、第３発明は、同発明に独自の構成要件を、第１発明の構成要件や第２発明の構成要件を含む構成において採用した内容としているが、第３発明に独自の構成要件は、それ自体でも発明として成立しうるものであり、本願の明細書は、第１発明の構成要件や第２発明の構成要件を含まない、第３発明の独自の構成要件を内容とする発明も開示している。
【図面の簡単な説明】
【００３４】
【図１】実施形態の階間水切り板の取付け構造を示すもので、図（イ）及び図（ロ）は、図２（イ）（ロ）と共に、取付け方法を順次に示す断面側面図である。
【図２】図（イ）及び図（ロ）は、図１（イ）（ロ）と共に、取付け方法を順次に示す断面側面図である。
【図３】階間水切り板を示すもので、図（イ）は断面側面図、図（ロ）及び図（ハ）はそれぞれ斜視部である。
【図４】図（イ）及び図（ロ）は、左右方向において隣り合う階間水切り板間の止水構造を示す斜視図である。
【符号の説明】
【００３５】
２…階下外壁パネル
３…階上外壁パネル
４…階間水切り板
４ａ…下端部（差込み部）
５…外装面材
６…通気層
７…防水断熱板
９…支承部
１０…弾性体
１１…第１止水材
１２…圧縮金物
１３…第２止水材
１４…ベース板部
１５…立ち上がり板部
１５ａ…一方の側（屈曲部）
【図１】
2009052266.tif 000003
【図２】
2009052266.tif 000004
【図３】
2009052266.tif 000005
【図４】
2009052266.tif 000006
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
階上、階下の各外壁パネルが、外装面材の背後に通気層を介して防水断熱板が設けられたものからなり、階間に、受けた水を階下外壁パネルの通気層に送り込む階間水切り板が備えられ、
該階間水切り板の上端部は、階上外壁パネルの防水断熱板の背後に配置され、
該階間水切り板の下端部は、該下端部を、階下外壁パネルの通気層に差し込まれる差込み部とし、該下端部には、差込み状態で階下外壁パネルの防水断熱板の上端部に支承される支承部が付属して設けられ、該下端部が階下外壁パネルの通気層に差し込まれると共に、支承部が階下外壁パネルの防水断熱板の上端部に支承された状態にされることにより、無ネジで、階下外壁パネルに保持されるようになされていることを特徴とする、パネル式外壁構造における階間水切り板の取付け構造。
【請求項２】
前記階間水切り板の下端部の正面側に前後方向の弾力性を有する弾性体が付属して設けられると共に、階間水切り板の下端部と階下外壁パネルの防水断熱板との間に止水材が介設され、前記階間水切り板の下端部が階下外壁パネルの通気層に差し込まれることで弾性体が前後方向に圧縮され、その復元力によって前記止水材が階間水切り板の下端部と階下外壁パネルの防水断熱板との間で圧縮され、水密状態を形成している請求項１に記載の階間水切り板の取付け構造。
【請求項３】
左右方向において隣り合う前記階間水切り板が、端部同士を重ね合わせるように配置され、該端部間に止水材が介設され、一方の階間水切り板に、該止水材を左右の階間水切り板の端部間で圧縮して水密状態を形成する圧縮金物が付属して設けられ、
該圧縮金物は、一方の階間水切り板の板面に沿って該一方の階間水切り板に固着されたベース板部と、該ベース板部からもう一方の階間水切り板の端縁部に沿う態様で立ち上げられた１つ又は複数の立ち上がり板部とを備え、該立ち上がり板部の前記もう一方の階間水切り板の端縁部に沿う方向における一部が、その立ち上がり状態を維持しながら前記もう一方の階間水切り板の端部側に張り出すように屈曲され、該屈曲部によるおさえ作用によって、前記止水材が左右の階間水切り板の端部間で圧縮されて、無ネジで、水密状態を形成している請求項１又は２に記載の階間水切り板の取付け構造。
【請求項４】
階上、階下の各外壁パネルが、外装面材の背後に通気層を介して防水断熱板が設けられたものからなり、階間に、受けた水を階下外壁パネルの通気層に送り込む階間水切り板が複数、左右方向において隣り合うようにして備えられ、
該左右方向において隣り合う階間水切り板は、端部同士を重ね合わせるように配置され、該端部間に止水材が介設され、一方の階間水切り板に、該止水材を左右の階間水切り板の端部間で圧縮して水密状態を形成する圧縮金物が付属して設けられ、
該圧縮金物は、一方の階間水切り板の板面に沿って該一方の階間水切り板に固着されたベース板部と、該ベース板部からもう一方の階間水切り板の端縁部に沿う態様で立ち上げられた１つ又は複数の立ち上がり板部とを備え、該立ち上がり板部の前記もう一方の階間水切り板の端縁部に沿う方向における一部が、その立ち上がり状態を維持しながら前記もう一方の階間水切り板の端部側に張り出すように屈曲され、該屈曲部によるおさえ作用によって、前記止水材が左右の階間水切り板の端部間で圧縮されて、無ネジで、水密状態を形成していることを特徴とする階間水切り板の取付け構造。